(57)【要約】【課題】  厚さや幅等の大小の大きさの異なる複数種類のカードを同一のカードコネクタに挿入して使用する際に、誤って複数のカードを同時に挿入することを防止し、１種類のカードのみが使用されるようにする。【解決手段】  挿入される第１カードと電気的に接触する第１コンタクトと、挿入される第２カードと電気的に接触する第２コンタクトと、前記第１コンタクトおよび第２コンタクトが配設されるコネクタ本体と、前記コネクタ本体に組み合せられるカバー部材と、前記コネクタ本体とカバー部材によって形成されるコネクタハウジングを二分して２つのスロットを形成する仕切り部材と、を備え、前記コネクタ本体に、挿入されるカードのいずれか一方のスロットへの挿入を阻止する切換部材を有する切換機構が設けられている。【選択図】  図１
2006172767.tif 000002
【特許請求の範囲】
【請求項１】
複数のコンタクトが配設されたコネクタ本体と、
このコネクタ本体と組み合わせるカバー部材と、
前記コネクタ本体とこのカバー部材とにより構成されたコネクタハウジングとを備え、
前記コネクタ本体には、仕切り部材により複数のスロットが構成され、
且つ前記コネクタ本体には、前記複数のスロットの内、一個を開口し、他のスロットを閉口する切換部材を備えた切換機構が配設されていることを特徴とするカードコネクタ。
【請求項２】
前記切換機構の切換部材は、前記コネクタ本体に枢支される枢軸部と、
前記枢軸部に対してほぼ直角な方向に延出する枢動レバー部と、
前記枢動レバー部より横方向に突出し、前記複数のスロットの内一個以外を閉口するためのアーム部とを備え、
前記コネクタ本体に配設された収納部に配設されていることを特徴とする請求項１記載のカードコネクタ。
【請求項３】
前記アーム部には、前記収納部の上下方向に間隔を置いて形成された窪み部と係合する前記枢動レバー部の両側壁に曲面状に突出した突出部が備えられていることを特徴とする請求項２記載のカードコネクタ
【発明の詳細な説明】
【技術分野】
【０００１】
本発明は、携帯電話機、電話機、ＰＤＡ（personal  digital  assistance）、ゲーム機、ノートパソコン、携帯型オーディオ、テレビ、ビデオ、デジタルカメラ等や情報端末機器、電子楽器等の電子機器のカードコネクタに係わるもので、特に、複数種類のカードを使用できるように上下に分けられたスロットを有するカードコネクタに関するものである。
【背景技術】
【０００２】
近年、デジタル家電産業の興隆に伴い、携帯電話機、テレビ、ビデオ、パソコン、デジタルカメラ等の電子機器において、ＣＰＵやメモリ用素子などのＩＣ部品が組込まれたＩＣカードが各種開発されている。
このＩＣカードを電子機器に電気的に接続するためには、カードコネクタを一般に用いる。ところで、デジタル家電産業の日進月歩の開発により、このようなカードコネクタは、異なる複数種類のカードを使用可能にすることが需要者から望まれ、コネクタメーカーでは複数種類のＩＣカードを使用できるカードコネクタを開発している。
複数のカードを同時使用するためにはカードコネクタ側に認識スイッチを設け、認識スイッチの信号を電子機器に設けられた電子回路が認識することにより可能となる（特許文献１参照）ことは公知である。
【０００３】
【特許文献１】特開２００１−３１３１０７号公報
【発明の開示】
【発明が解決しようとする課題】
【０００４】
しかし、使用される電子機器により複数のカードを同時に使用しない場合、例えば、２種類のカードが使用できる電子機器では、１種類ずつカードをカードコネクタに挿入し使用されるために、カードコネクタ側の認識スイッチ、電子機器側の電子回路等は通常設けられない。
したがって、ユーザーが誤って同時に複数種類のカードを挿入すると、電子機器が挿入された複数種類のカードを認識することができず、故障の原因となる恐れがある。
【０００５】
以上の問題点を考慮し、本発明は、誤って複数のカードを同時に挿入することを防止し、１種類のカードのみが使用されるようにしたカードコネクタを提供することを目的とする。
【課題を解決するための手段】
【０００６】
上述の目的を達成するために、本発明のカードコネクタは、複数のコンタクトが配設されたコネクタ本体と、このコネクタ本体と組み合わせるカバー部材と、前記コネクタ本体とこのカバー部材とにより構成されたコネクタハウジングとを備え、前記コネクタ本体には、仕切り部材により複数のスロットが構成され、且つ前記コネクタ本体には、前記複数のスロットの内、一個を開口し、他のスロットを閉口する切換部材を備えた切換機構が配設されていることを特徴とする。
【発明の効果】
【０００７】
本発明のカードコネクタは、複数のカードがそれぞれ挿入されるスロットに対応して、予めカードの選択が可能な切換部材を有する切換機構が設けられている。したがって、本発明では、いずれかのスロットにカードが挿入されている時に、空きスロットに別のカードを挿入することができない等の効果がある。
【発明を実施するための最良の形態】
【０００８】
本発明のカードコネクタは、コネクタ本体とカバー部材とを組合せて形成されるコネクタハウジングを仕切り部材によって二分して形成された２つのスロットと、コネクタ本体に配置された複数のコンタクトを備え、カード挿入口の一方の端に、複数のカードがそれぞれ挿入されるスロットへの挿入を切換える切換部材を有する切換機構が設けられていることを基本的な構成としている。
【０００９】
本発明のその他の目的や特徴および利点は、添付図面に示される本発明の実施形態についての以下の詳細な説明から明らかである。
【実施例】
【００１０】
図１乃至図１１は、本発明のカードコネクタの一実施例における構成を示す図で、図１は、本発明のカードコネクタをカード挿入口側から見た全体の斜視図、図２は、図１の本発明のカードコネクタの平面図で、図３は、本発明のカードコネクタをカード挿入口側から見た端面図、図４は、図２のＩＶ―ＩＶ線に沿った断面図で、図５は、図１の本発明のカードコネクタを、カバー部材を取外して示す平面図、図６は、図１の本発明のカードコネクタを、カバー部材を取外して示す斜視図で、図７は、図６のカードコネクタを、仕切り部材を取外して示す平面図、図８は、図７のカードコネクタの斜視図で、図９は、切換機構を、切換部材を取外して示す斜視図、図１０は、切換部材の斜視図で、図１１は、その平面図である。
【００１１】
なお、本発明のカードコネクタは、例えば、第１のカードとしてのメモリスティック（商品名）と、第２のカードとしてのＳＤカード（商品名）とを共通して使用することができるものである。また、本発明において使用されるこれらメモリスティックとＳＤカードとを、以下に、単に、それぞれ「第１カード」と「第２カード」と言うものとする。「第１カード」のメモリスティックは、外形寸法長さが長いカードで、「第２カード」のＳＤカードは、外形寸法長さが短いカードであり、これら第１カードと第２カードのメモリスティックとＳＤカードは、共に外形寸法幅がほぼ同じ幅で、かつほぼ同じ厚さのカードである。勿論、「第１カード」および「第２カード」は、メモリスティックおよびＳＤカードに限定されるものではなく、他のメモリカードを適宜に使用できるものである。
【００１２】
図１乃至図４に示されるように、本発明のカードコネクタ１は、一端にカード挿入口１４を有するコネクタ本体２と、このコネクタ本体２に組み合わされるカバー部材３と、このコネクタ本体２とカバー部材３によって形成されるコネクタハウジングを二分して２つのスロットを形成する仕切り部材４と、このコネクタ本体２に配置された複数個の第１のコンタクト５および第２のコンタクト６とから基本構成されている。本発明の特徴部分は、カード挿入口１４の一方の端に、第１のカードと第２のカードとがそれぞれ挿入されるスロットへの挿入を切換える切換部材を有する切換機構７が設けられていることである。
【００１３】
なお、カードコネクタの実施例には、第１カード用イジェクト機構８と第２カード用イジェクト機構９と、カード飛出し防止機構１０が設けられているが、これはなくても発明を構成することは言うまでもない。
【００１４】
次に、各構成について詳述する。
このような構成の本発明のカードコネクタ１は、コネクタ本体２とカバー部材３とを組み合わせて、偏平な薄い形状のケーシングとしてのコネクタハウジングが形成されている。このコネクタハウジングは、一端が開口していてカード挿入口１４が設けられており、例えば、第１カードＡと第２カードＢとを挿入するための、第１スロットとしての上部スロット１１と、第２スロットとしての下部スロット１２とが、板状に形成された仕切り部材である中間の仕切り部材４によって仕切られて区画されている。従って、この仕切り部材４によって仕切られた上部スロット１１に、例えば第１カードＡが挿入され、下部スロット１２に第２カードＢが挿入されるように構成されている。
【００１５】
このような本発明のカードコネクタ１は、例えば情報端末機器等に装着して用いられるように構成されている。
【００１６】
本発明のカードコネクタ１において、コネクタ本体２は、ほぼ方形の板状を成したベース部２０と、ベース部２０の両側に設けられた側壁２１、２２と、一方の端部に端壁２３とを有している。従って、コネクタ本体２のベース部２０は、これら側壁２１、２２と端壁２３とによって三方が囲まれ、ベース部２０の後方部分には、一段高くなった段付き部２４が設けられており、この段付き部２４に第１カードＡと電気的に接触する第１コンタクト５が並列して複数個が設けられている。
また、ベース部２０の前方部分には、第２カードＢと電気的に接触する第２コンタクト６が第１コンタクト５よりも低い位置に並列して複数個が設けられている。
【００１７】
さらに、コネクタ本体２のカード挿入口１４側の一方の端の側壁２１の前端部分には、切換機構７の切換部材１３が収納されて装着されるように、切換部材１３のための収納部１５が設けられている。
切換機構７の切換部材１３は、図１０および図１１に明示されるように、ほぼＴ字形を成しており、コネクタ本体２に枢支される枢軸部１６と、この枢軸部１６に対してほぼ直角な方向に延出する枢動レバー部１７と、枢動レバー部１７のほぼ中程に横方向内方に突出するアーム部１８とを有している。このような切換部材１３は、カードの挿入時に、いずれか一方のスロット１１、１２内にアーム部１８が位置されて、カードの挿入を阻止するように枢動レバー部１７が上下方向に操作されるようになっている。また、このような切換部材１３は、ほぼＴ字形を成している。この切換機構１３では、横方向に延出する部分が枢軸部１６を構成し、この枢軸部１６のほぼ中央からほぼ直角に延びる中央長手方向の部分が枢動レバー部１７を構成している。この枢動レバー部１７のほぼ中程には、横方向内方に向って延びるアーム部１８が設けられている。さらに、切換部材１３は、枢動レバー部１７の前端部側の両側壁に、部分曲面状に突出するラッチ部１９が設けられている。このラッチ部１９により、枢動レバー部１７を上下いずれかの位置に、停止した状態に保持できる。
【００１８】
このような切換部材１３が配置されるコネクタ本体２の収納部１５は、図９に明示されるように、ほぼＴ字形の空所から構成されている。詳述するならば、収納部１５は、横方向の空所部分からなる枢支部３１と、この枢支部３１のほぼ中央から長手方向にほぼ直角に延びる空所部分からなる作動部３２と、この長手方向の作動部３２のほぼ中間から横方向内方にほぼ直角に延びる切換作用部３３とから構成されている。さらに、この収納部１５において、外側壁部と内側壁部には、切換部材１３の枢軸部１６の両端部が枢動可能に嵌め込まれる円形状の窪み部３４が設けられており、軸受部を形成している。また、長手方向の作動部３２の端部側の外側壁部２１ａと内側壁部２１ｂとには、上下方向に間隔を置いて設けられたラッチ部１９用の窪み部である凹み部３５Ａ、３５Ｂが設けられている。このため、切換機構７の切換部材１３がこの収納部１５内に装着されて切換作動されるようになっている。すなわち、切換部材１３の枢軸部１６が枢支部３１内に枢支され、枢動レバー部１７が作動部３２内に配置されている。切換部材１３が枢軸部１６を中心にして上下方向に枢動される際には、枢動レバー部１７は作動部３２内を上下方向に枢動されて、枢動レバー部１７の側壁上の曲面状に突出したラッチ部１９が上方位置または下方位置の所要される位置の凹み部３５Ａ、３５Ｂにラッチ係合するために、枢動レバー部１７を上方位置または下方位置に保持できる。
【００１９】
また、コネクタ本体２へのカバー部材３の取付けは次のようにする。カバー部材３の両側の折り曲げられた側壁３Ａ、３Ｂと後方部分の端壁３Ｃとに形成された開口部３０を、コネクタ本体２の側壁２１、２２と端壁２３との外面に形成された断面ほぼ三角形状の突部２９に対して、例えばスナップ止めのようにして嵌めることによってコネクタ本体２へのカバー部材３の取付けがなされる。
【００２０】
この仕切り部材４は、コネクタ本体２とカバー部材３とを組み合わせて成るコネクタハウジングの内部空間のほぼ中間に位置するように設けられている。例えば、金属板をプレス加工して仕切り部材４を作る。先ず、図３乃至図６に示されるように、仕切り部材４には、前方部分にカード挿入口１４のための切欠き部４０が設けられており、中程で下方にほぼ直角に折り曲げられたフランジ状の折曲部３８が設けられている。この折曲部３８には横方向に細長い複数個の開口部３９（図３、図４）が設けられている。この開口部３９にコネクタ本体２の段付き部２４の前面側の突部２５が嵌め込まれて係合される構造となる。また、仕切り部材４は、両側の側辺部分がコネクタ本体２の両側壁２１、２２の溝部４４、４５にそれぞれ差し込まれ、後端部の突出爪部４３がコネクタ本体２の端壁２３の対応する溝部４６に差し込まれて係止されることによって取り付けられる。さらに、仕切り部材４には、第１イジェクト機構８のためのスライド用の細長い溝４１が、コネクタ本体２の溝３６と対応するように設けられていると共に、下方にほぼ直角に折り曲げて形成されたカード誤挿入防止用の折曲片４２が設けられている。下部スロット１２内に、第２カードＢが正しく挿入されずに、裏差しのように誤って挿入される時に、このカード誤挿入防止用の折曲片４２は、カードの挿入側の先端部がこの折曲片４２に当たってカードの挿入を阻止し、カードの誤挿入を防止するように作用するものである。
【００２１】
さらに、本発明のカードコネクタ１において、第１カードを放出するための第１イジェクト機構８と第２カードとを放出するための第２イジェクト機構９とが側壁２２側に沿って配設されている。これら第１、第２イジェクト機構８、９は、第１カードＡと第２カードＢとを放出するために用いるスライド可能なイジェクト部材５１、５３と、イジェクト部材５１、５３をそれぞれ押圧するばね部材５２、５４とを有している。
【００２２】
すなわち、第１カードＡを放出するための第１イジェクト機構８は、イジェクト部材５１と、このイジェクト部材５１を押圧するように設けられたコイルスプリングのようなばね部材５２とを有している。このイジェクト部材５１は、仕切り部材４の上を側壁２２に沿ってスライドする略Ｌ字形のカード受け部５１を構成している。また、イジェクト部材５１は、スライド可能に形成されている。これは、イジェクト部材５１が、下面のガイド部材の一部が仕切り部材４の溝４１を介してコネクタ本体２の溝３６に沿って案内されると共に、ガイド部材の他の部分が仕切り部材４の溝に沿って案内されるからである。同様に、第２カードＢを放出するための第２イジェクト機構９は、イジェクト部材５３と、このイジェクト部材５３を押圧するように設けられたコイルスプリングのようなばね部材５４とを有している。このイジェクト部材５３は、仕切り部材４の下を、かつベース部２０上を側壁２２に沿ってスライドする略Ｌ字形のカード受け部５３を形成している。また、イジェクト部材５３は、下方部分と一方の側面部分とがベース部２０の窪み部３７Ａと側壁２２の横方向の窪み部３７Ｂとに沿って案内されるように形成されている。
【００２３】
さらに、本発明のカードコネクタ１において、コネクタ本体２のベース部２０の後方の段付き部２４上に配列される複数個の第１コンタクト５は、横方向に整列して設けられている。この複数個の第１のコンタクト５は、それぞれほぼ円弧状に彎曲された後方自由端部側の弾性接触部５ａと、段付き部２４の溝２６内に押し込まれて嵌着された中間固定部５ｂと、後方側の端壁２３の孔２８を通って外方に延び、ほぼ直角に折り曲げられた端子部５ｃとを有する。
【００２４】
また、コネクタ本体２のベース部２０の前方部分には、別の複数個の第２コンタクト６が横方向に整列して設けられている。この複数個の第２のコンタクト６は、自由端部側のほぼ円弧状に彎曲された内方側の弾性接触部６ａと、ベース部２０の前方部分の溝２７内に差し込まれて嵌着された中間固定部６ｂと、ベース部２０の前端壁２３のところで、ほぼ直角にクランク形状に折り曲げられて外方を向いた端子部６ｃとを有する。
【００２５】
従って、これら第１コンタクト５と第２コンタクト６とは、共に中間固定部５ｂ、６ｂにおいてベース部２０の溝２６、２７にそれぞれ圧入される等して固着されて、しっかりと取り付けられる。すなわち、第１のコンタクト５と第２のコンタクト６とは、図示されるように、互いに弾性接触部５ａ、６ａが向かい合うような状態に配置されるようになっている。これら第１コンタクト５と、第２コンタクト６とは、弾性接触部５ａ、６ａの位置が異なる高さに位置されている。すなわち、第１コンタクト５は上方の高い位置に在って上部スロット１１内に位置し、他方、第２コンタクト６は下方の低い位置に在るように配置されていて下部スロット１２内に位置している。
【００２６】
さらに、コネクタ本体３のカード挿入口１４側にある他方の端に位置する側壁２２の前方部分には、カード飛出し防止機構１０が設けられている。このカード飛出し防止機構１０は、図示されるような形状に形成されたスライド部材４８が、カード挿入口１４に対して側壁２２の前部に形成されたマウント部４９に沿って横方向に移動可能に弾性附勢して設けられている。常時は、スライド部材４８は、内方側に位置するように押圧されている。
【００２７】
このようなカード飛出し防止機構１０では次のようにカードの飛び出しを防止する。まず、挿入される第１カードＡと第２カードＢとのいずれか一方の先端角部がスライド部材４８の角部の傾斜面に当接する時に、スライド部材４８が横外方に押される。次いで、第１カードＡと第２カードＢとのいずれか一方が完全に挿入された時に、スライド部材４８が内蔵のばね部材（図示しない）によって内方に向って押されて移動する。その後、スライド部材４８の内側の面が第１カードＡと、第２カードＢとのいずれか一方の端面に当接することによって、挿入された第１カードＡと、第２カードＢとのいずれか一方の飛出しを防止するように作用する。
【００２８】
このように構成された本発明のカードコネクタ１において、第１カードＡとしてメモリスティック（商品名）と、第２カードＢとしてＳＤカード（商品名）を例に上げて説明する。
【００２９】
本発明のカードコネクタ１において、第１カードＡと第２カードＢとの使用状態が図１２乃至図１７に示されている。図１２は第１カードＡが挿入された本発明のカードコネクタ１をカバー部材を取外して示す平面図で、図１３は斜視図、図１４は図１２のＸＩＶ―ＸＩＶ線に沿った縦断面部分図である。また、図１５は第２カードＢが挿入された本発明のカードコネクタ１をカバー部材を取外して示す同様な平面図で、図１６は斜視図、図１７は図１５のＸＶＩＩ―ＸＶＩＩ線に沿った縦断面部分図である。
【００３０】
図１２乃至図１４に示されるように、このような本発明のカードコネクタ１において、第１カードＡが使用される場合には、切換機構７の切換部材１３が切換作動されて、下部スロット１２へのカードの挿入を阻止するように操作される。すなわち、切換部材１３の枢動レバー部１７が下方側に作動されて、アーム部１８が下部スロット１２側に位置されるようになる。従って、このような状態の時には、切換部材１３のアーム部１８によって下部スロット１２へのカードの挿入が阻止されるようになる。こうして、カードを選定して第１カードＡが上部スロット１１に挿入される。この第１カードＡの挿入においては、第１カードＡの先端部がカード飛出し防止機構１０のスライド部材４８の面取りされた角部の傾斜面に当たり、スライド部材４８を横方向外方に押圧し、第１カードＡが上部スロット１１内に挿入される。そして、この第１カードＡの上部スロット１１への挿入に際して、第１カードＡの先端部が仕切り部材４上をスライドして上部スロット１１内へと好適に挿入されるようになる。
【００３１】
これに続いて、さらに第１カードＡを挿入すれば、第１カードＡの先端部の角部が、ほぼＬ字形のイジェクト部材５１のカード受け部５１ａに当接してイジェクト部材５１を押すことになる。イジェクト部材５１をさらに奥の方へとしっかりと押圧して、ばね部材５２を圧縮し、第１カードＡの先端部下面側のパッド部が第１コンタクト５の弾性接触部５ａに電気的に接触されるようになる。
【００３２】
こうして、第１カードＡが完全に挿入されると、カード飛出し防止機構１０のスライド部材４８が、内蔵のばね部材のばね力によって内方に移動されて第１カードＡの後端部に当接して第１カードＡの飛出しを防止するようになる。これによって、第１カードＡのパッド部が、第１コンタクト５の弾性接触部５ａと良好に電気的に接触された状態が維持されて第１カードＡの継続的な使用が可能な状態となる。
【００３３】
この第１カードＡがカードコネクタ１の上部スロット１１内に挿入されている状態で、もしも、誤って別のカードを空いている下部スロット１２に挿入するようにしても、カードの先端部が切換部材１３のアーム１８に当たってしまうために、カードを下部スロット１２内に挿入することができなくなる。これによりカードの同時に２枚挿入することを防止することができる。
【００３４】
次に、上述のように、本発明のカードコネクタ１に装着された第１カードＡを取り出すには、カード飛出し防止機構１０のスライド部材４８を外方に向って横方向に押せば、スライド部材４８が第１カードＡの後端部から外れて第１カードＡが自由になるため、第１イジェクト機構８のばね部材５２のばね力によってイジェクト部材５１が押されてスライドする。これによって、第１カードＡが押し出されて外方に向って放出されるようになり、第１カードＡがカードコネクタ１から押し出されるため、押し出された第１カードＡの端部を掴んで第１カードＡをカードコネクタ１から完全に取り出すことができるようになる。
【００３５】
また、外形寸法長さが短いカードである第２カードＢを使用する場合には、本発明のカードコネクタ１に対して、選定した第２カードＢを挿入するために、切換機構７の切換部材１３が操作される。すなわち、図１５乃至図１７に示されるように、切換部材１３の枢動レバー部１７が上方側に作動されて、アーム部１８が上部スロット１１側に位置されるようになる。従って、このような状態の時には、切換部材１３のアーム部１８によって上部スロット１１へのカードの挿入が阻止されるようになる。こうして、カードを選定して第２カードＢが下部スロット１２に挿入される。この第２カードＢの挿入においては、第２カードＢの先端部がカード飛出し防止機構１０のスライド部材４８の面取りされた角部の傾斜面に当たり、スライド部材３８を横方向外方に押圧し、第２カードＢが下部スロット１２内に挿入される。そして、この第２カードＢの下部スロット１２への挿入に際して、第２カードＢの先端部が仕切り部材４の下をスライドして下部スロット１２内へと好適に挿入されるようになる。
【００３６】
これに続いて、さらに第２カードＢを挿入すれば、第２カードＢの先端部の角部が、ほぼＬ字形のイジェクト部材５３のカード受け部５３ａに当接してイジェクト部材５３を押すようになり、イジェクト部材５３をさらに奥の方へとしっかりと押圧して、ばね部材５４を圧縮し、第２カードＢの先端部下面側のパッド部が第２コンタクト６の弾性接触部６ａに電気的に接触されるようになる。
【００３７】
こうして、第２カードＢが完全に挿入されると、カード飛出し防止機構１０のスライド部材４８が、内蔵のばね部材のばね力によって内方に移動されて第２カードＢの後端部に当接して第２カードＢの飛出しを防止するようになる。これによって、第２カードＢのパッド部が、第２コンタクト６の弾性接触部６ａと良好に電気的に接触された状態が維持されて第２カードＢの継続的な使用が可能な状態となる。
【００３８】
この第２カードＢがカードコネクタ１の下部スロット１２内に挿入されている状態で、もしも、誤って別のカードを空いている上部スロット１１に挿入するようにしても、カードの先端部が切換部材１３のアーム１８に当たってしまうために、カードを上部スロット１１内に挿入することができなく、カードの２枚挿入を良好に防止することができる。
【００３９】
このように本発明のカードコネクタ１に装着された第２カードＢを取り出すには、上述した第１カードＡの場合と同様に操作することによって、第２カードＢを好適に取り出すことができる。
【００４０】
このように、本発明のカードコネクタにおいては、１つのカードコネクタによって、大きさの異なる大小の複数種類の、例えば、メモリスティックと、ＳＤカード等を第１カード、第２カードとして、カード自体に何等の特別なことを施さずに、何等の支障も無く共通して使用することができ、かつ複数個のスロットへのカードの挿入を選択して行うことができる。また、本発明によれば、カードコネクタ自体を、偏平で薄形の形状のコネクタハウジングに、コネクタ本体とカバー部材とを組み合わせることによって製作することができ、低背化して薄形に製作することが可能であり、携帯電話機やゲーム機、ノートパソコンやディスク型パソコン、携帯型オーディオ、テレビ、ビデオ、デジタルカメラ、カラオケ用マイク等のような情報端末機器や各種の電子機器等に好適に使用することが可能である。
【産業上の利用可能性】
【００４１】
本発明のカードコネクタは、携帯電話機、電話機、ＰＤＡ（personal  digital  assistance）、ゲーム機、ノートパソコン、ディスク型パソコン、携帯型オーディオ、テレビ、ビデオ、デジタルカメラ等や情報端末機器等の、電子機器に利用することが出来る。
【図面の簡単な説明】
【００４２】
【図１】本発明のカードコネクタをカード挿入口側から見た全体の斜視図である。
【図２】図１の本発明のカードコネクタの平面図である。
【図３】本発明のカードコネクタをカード挿入口側から見た端面図である。
【図４】図２のＩＶ―ＩＶ線に沿った断面図である。
【図５】図１の本発明のカードコネクタを、カバー部材を取外して示す平面図である。
【図６】図５の本発明のカードコネクタを示す斜視図である。
【図７】図５のカードコネクタを、仕切り部材を取外して示す平面図である。
【図８】図７のカードコネクタの斜視図である。
【図９】本発明のカードコネクタの切換機構を、切換部材を取り外して示す斜視図である。
【図１０】本発明のカードコネクタの切換機構の切換部材の斜視図である。
【図１１】図１０の切換部材の平面図である。
【図１２】本発明のカードコネクタの上部スロットに第１のカードを挿入した時のカードコネクタを、カバー部材を取外して示す平面図である。
【図１３】図１２の本発明のカードコネクタを、カード挿入口側から見た斜視図である。
【図１４】図１２のＸＩＶ―ＸＩＶ線に沿った断面部分図である。
【図１５】本発明のカードコネクタの下部スロットに第２のカードを挿入した時のカードコネクタを、カバー部材を取外して示す平面図である。
【図１６】図１５の本発明のカードコネクタを、カード挿入口側から見た斜視図である。
【図１７】図１５のＸＶＩＩ―ＸＶＩＩ線に沿った断面部分図である。
【符号の説明】
【００４３】
１          カードコネクタ
２          コネクタ本体
３          カバー部材
４          仕切り部材
５          第１コンタクト
６          第２コンタクト
７          切換機構
８          第１イジェクト機構
９          第２イジェクト機構
１０        カード飛出し防止機構
１１        上部スロット
１２        下部スロット
１３        切換部材
１４        カード挿入口
１５        収納部
１６        枢軸部
１７        枢動レバー部
１８        アーム部
１９        ラッチ部
２０        ベース部
２１、２２  側壁
２３        端壁
２４        段付き部
２５        突部
２６、２７  溝
２８        孔
２９        突部
３０        開口部
３１        枢支部
３２        作動部
３３        切換作用部
３４        窪み部
３５Ａ、３５Ｂ  凹み部
３６        溝
３７Ａ、３７Ｂ  窪み部
３８        折曲部
３９        開口部
４０        切欠き部
４１        溝
４２        誤挿入防止用折曲片
４３        突出爪部
４４、４５、４６  溝部
４８        スライド部材
４９        マウント部
５１、５３  イジェクト部材
５２、５４  ばね部材
Ａ          第１カード
Ｂ          第２カード
【図１】
2006172767.tif 000003
【図２】
2006172767.tif 000004
【図３】
2006172767.tif 000005
【図４】
2006172767.tif 000006
【図５】
2006172767.tif 000007
【図６】
2006172767.tif 000008
【図７】
2006172767.tif 000009
【図８】
2006172767.tif 000010
【図９】
2006172767.tif 000011
【図１０】
2006172767.tif 000012
【図１１】
2006172767.tif 000013
【図１２】
2006172767.tif 000014
【図１３】
2006172767.tif 000015
【図１４】
2006172767.tif 000016
【図１５】
2006172767.tif 000017
【図１６】
2006172767.tif 000018
【図１７】
2006172767.tif 000019